(57)【要約】【課題】美容効果を向上することができるミスト発生装置及びこれに用いられるシャワーヘッドを提供する。【解決手段】液体流路１１を流れる液体と気体流路１２を流れる気体とを合流部１３で衝突させることによりミストを発生させ、発生したミストをミスト供給路１４により外部に供給する。ミスト供給路１４においてミストが受ける抵抗により、ミストに脈動を生じさせ、それに伴ってミスト供給路１４を振動させる。ミスト供給路１４内で十分に霧化した状態でミストを外部に供給することができるため、美容効果を向上することができる。また、ミスト供給路１４を振動させることができるため、この振動を利用することにより美容効果を向上することができる。【選択図】  図１
2014210002.tif 000002
【特許請求の範囲】
【請求項１】
液体を用いてミストを発生させるミスト発生装置であって、
液体が流れる液体流路と、
ミストを発生させるための気体が流れる気体流路と、
前記液体流路と前記気体流路とを接続し、前記液体流路を流れる液体と前記気体流路を流れる気体とを衝突させることによりミストを発生させる合流部と、
前記合流部において発生したミストを外部に供給するためのミスト供給路とを備え、
前記ミスト供給路においてミストが受ける抵抗により、ミストに脈動を生じさせ、それに伴って前記ミスト供給路を振動させることを特徴とするミスト発生装置。
【請求項２】
前記液体流路には、液体を前記合流部側へ送り出すための液体ポンプが設けられ、
前記気体流路には、気体を前記合流部側へ送り出すための気体ポンプが設けられており、
前記液体ポンプの圧力よりも前記気体ポンプの圧力の方が高く設定されていることを特徴とする請求項１に記載のミスト発生装置。
【請求項３】
前記液体流路には、給湯器から液体としての温水が供給されることを特徴とする請求項１又は２に記載のミスト発生装置。
【請求項４】
前記液体流路から分岐し、液体を外部に供給するための液体供給路をさらに備えたことを特徴とする請求項１〜３のいずれかに記載のミスト発生装置。
【請求項５】
前記ミスト供給路及び前記液体供給路が接続されるシャワーヘッドをさらに備え、
前記シャワーヘッドには、前記ミスト供給路から供給されるミストを噴射するためのミスト噴射口と、前記液体供給路から供給される液体を噴射するための液体噴射口とが形成されていることを特徴とする請求項４に記載のミスト発生装置。
【請求項６】
前記液体噴射口は、前記ミスト噴射口を取り囲むように複数形成されていることを特徴とする請求項５に記載のミスト発生装置。
【請求項７】
ミスト発生装置に接続された状態で用いられるシャワーヘッドであって、
前記ミスト発生装置からミストを供給するためのミスト供給路が接続されるミスト供給口と、
液体を供給するための液体供給路が接続される液体供給口と、
前記ミスト供給路から前記ミスト供給口を介して供給されるミストを噴射するためのミスト噴射口と、
前記液体供給路から前記液体供給口を介して供給される液体を噴射するための液体噴射口とを備え、
前記液体噴射口は、前記ミスト噴射口を取り囲むように複数形成されていることを特徴とするシャワーヘッド。
【発明の詳細な説明】
【技術分野】
【０００１】
本発明は、液体を用いてミストを発生させるミスト発生装置及びこれに用いられるシャワーヘッドに関するものである。
【背景技術】
【０００２】
例えば美容院などにおいて、被施術者の頭髪にミストを噴射するためのミスト発生装置が使用される場合がある（例えば、下記特許文献１参照）。一般的なミスト発生装置は、水を貯留可能なタンクを備えており、タンク内の水を加熱するなどしてミストを発生させることができるようになっている。
【０００３】
一方で、洗髪の際などに使用されるシャワーヘッドの中には、給湯器から供給される温水をシャワーヘッドに設けられたノズルにおいて霧化し、温水とともにミストを噴射することができるようになっているものがある（例えば、下記特許文献２参照）。このようなシャワーヘッドは、例えば水栓から延びるホースに取り付けられ、給湯器から水栓を介して供給される温水が、噴射と同時に霧化されるような構成となっている。
【先行技術文献】
【特許文献】
【０００４】
【特許文献１】特開２０１０−１７２５２５号公報
【特許文献２】特開２００１−１９８０３７号公報
【発明の概要】
【発明が解決しようとする課題】
【０００５】
上記特許文献１に例示されるような従来のミスト発生装置では、発生させたミストを被施術者の頭髪に噴射することはできるものの、それ以外の美容効果を発揮することができない。そのため、ある程度の設置スペースが必要となるにもかかわらず、それに見合うだけの美容効果が得られているとは言えず、より美容効果の高いミスト発生装置が望まれていた。
【０００６】
また、上記特許文献２に例示されるようなシャワーヘッドは、水栓から延びるホースに取り付けるだけで、温水とともにミストを噴射することができるため、設置スペースを必要とすることなく美容効果を発揮することができる。しかしながら、この種のシャワーヘッドでは、温水を噴射と同時に霧化する構成となっているため、十分に霧化することは困難であり、高い美容効果が得られるとは言い難かった。
【０００７】
本発明は、上記実情に鑑みてなされたものであり、美容効果を向上することができるミスト発生装置及びこれに用いられるシャワーヘッドを提供することを目的とする。
【課題を解決するための手段】
【０００８】
本発明に係るミスト発生装置は、液体を用いてミストを発生させるミスト発生装置であって、液体が流れる液体流路と、ミストを発生させるための気体が流れる気体流路と、前記液体流路と前記気体流路とを接続し、前記液体流路を流れる液体と前記気体流路を流れる気体とを衝突させることによりミストを発生させる合流部と、前記合流部において発生したミストを外部に供給するためのミスト供給路とを備え、前記ミスト供給路においてミストが受ける抵抗により、ミストに脈動を生じさせ、それに伴って前記ミスト供給路を振動させることを特徴とする。
【０００９】
このような構成によれば、液体流路を流れる液体と気体流路を流れる気体とを合流部で衝突させることにより発生したミストが、ミスト供給路を介して外部に供給される。これにより、ミスト供給路内で十分に霧化した状態でミストを外部に供給することができるため、シャワーヘッドにおいてミストを発生させるような従来の構成と比較して、美容効果を向上することができる。
【００１０】
特に、ミスト供給路においてミストが受ける抵抗により、ミストに脈動を生じさせることができる。そして、ミストが脈動するのに伴って、ミスト供給路を振動させることができるため、この振動を利用することにより美容効果を向上することができる。
【００１１】
例えば、前記ミスト供給路に接続されたヘッド（シャワーヘッド又はミストヘッド）を被施術者の頭皮などに接触させれば、ヘッドからミストを噴射しながら、当該ヘッドを介してミスト供給路からの振動を頭皮に伝達し、マッサージ効果を得ることができる。このように、ミストによる美容効果に加えて、マッサージ効果による美容効果も得られるため、美容効果が非常に高いミスト発生装置を提供することができる。
【００１２】
前記液体流路には、液体を前記合流部側へ送り出すための液体ポンプが設けられ、前記気体流路には、気体を前記合流部側へ送り出すための気体ポンプが設けられていてもよい。この場合、前記液体ポンプの圧力よりも前記気体ポンプの圧力の方が高く設定されていてもよい。
【００１３】
このような構成によれば、液体ポンプにより液体を合流部側へ送り出すとともに、気体ポンプにより気体を合流部側へ送り出し、これらの液体と気体とを合流部で衝突させることにより、ミストを良好に発生させることができる。特に、液体ポンプの圧力よりも気体ポンプの圧力の方が高く設定されているため、より細かいミストを発生させることができるとともに、ポンプの圧力差によってミストに脈動が生じやすい。したがって、美容効果をより向上することができる。
【００１４】
前記液体流路には、給湯器から液体としての温水が供給されるようになっていてもよい。
【００１５】
このような構成によれば、給湯器から供給される温水を用いてミストを発生させることができる。これにより、ヒータなどを設けることなく、温かくて美容効果の高いミストを発生させることができる。
【００１６】
前記ミスト発生装置は、前記液体流路から分岐し、液体を外部に供給するための液体供給路をさらに備えていてもよい。
【００１７】
このような構成によれば、ミスト供給路を介して外部にミストを供給することができるだけでなく、液体流路から分岐した液体供給路を介して外部に液体を供給することができる。したがって、ミスト及び液体の両方を用いて、美容効果をより向上することができる。
【００１８】
特に、液体流路に給湯器から温水が供給されるような構成の場合には、ミストを発生させるためだけに温水を液体流路に供給しようとすると、給湯器からの流量が少なすぎるため、給湯器において水が温まらないおそれがある。しかし、本発明のように、液体流路に供給した温水が、合流部側だけでなく液体供給路側にも導かれるような構成とすることにより、給湯器からの流量が増加するため、給湯器から良好に温水を供給することができる。
【００１９】
前記ミスト発生装置は、前記ミスト供給路及び前記液体供給路が接続されるシャワーヘッドをさらに備えていてもよい。この場合、前記シャワーヘッドには、前記ミスト供給路から供給されるミストを噴射するためのミスト噴射口と、前記液体供給路から供給される液体を噴射するための液体噴射口とが形成されていてもよい。
【００２０】
このような構成によれば、シャワーヘッドからミスト及び液体の両方を噴射することができるため、美容効果をより向上することができる。また、気体流路から合流部に気体を流さなければ、液体流路を流れる液体が、そのままミスト供給路を通り、シャワーヘッドのミスト噴射口から液体として噴射される。この場合には、シャワーヘッドの液体噴射口及びミスト噴射口の両方から液体が噴射されることとなり、通常のシャワーとして使用することができる。
【００２１】
すなわち、本発明によれば、ミスト噴射口から噴射されるミストと、液体噴射口から噴射される液体とにより、美容効果の高い使用態様でシャワーヘッドを使用することができるだけでなく、ミスト噴射口及び液体噴射口の両方から液体を噴射して、通常のシャワーの態様でシャワーヘッドを使用することもできる。このように、一台二役で使い勝手のよいミスト発生装置を提供することができる。
【００２２】
前記液体噴射口は、前記ミスト噴射口を取り囲むように複数形成されていてもよい。
【００２３】
このような構成によれば、ミスト噴射口から噴射されるミストが、液体噴射口から噴射される液体により形成されるカーテンで覆われることとなる。これにより、ミストによる美容効果を高めることができるとともに、ミスト噴射口において生じる音に対する消音効果を発揮することができる。
【００２４】
本発明に係るシャワーヘッドは、ミスト発生装置に接続された状態で用いられるシャワーヘッドであって、前記ミスト発生装置からミストを供給するためのミスト供給路が接続されるミスト供給口と、液体を供給するための液体供給路が接続される液体供給口と、前記ミスト供給路から前記ミスト供給口を介して供給されるミストを噴射するためのミスト噴射口と、前記液体供給路から前記液体供給口を介して供給される液体を噴射するための液体噴射口とを備え、前記液体噴射口は、前記ミスト噴射口を取り囲むように複数形成されていることを特徴とする。
【００２５】
このような構成によれば、ミスト供給路からミスト供給口を介して十分に霧化した状態でミストを供給し、ミスト噴射口から噴射することができるため、シャワーヘッドにおいてミストを発生させるような従来の構成と比較して、美容効果を向上することができる。
【００２６】
また、ミスト噴射口から噴射されるミストが、液体噴射口から噴射される液体により形成されるカーテンで覆われることとなる。これにより、ミストによる美容効果を高めることができるとともに、ミスト噴射口において生じる音に対する消音効果を発揮することができる。
【発明の効果】
【００２７】
本発明によれば、ミスト供給路内で十分に霧化した状態でミストを外部に供給することができるため、美容効果を向上することができる。また、本発明によれば、ミスト供給路を振動させることができるため、この振動を利用することにより美容効果を向上することができる。
【図面の簡単な説明】
【００２８】
【図１】本発明の一実施形態に係るミスト発生装置の構成例を示した概略図である。
【図２】シャワーヘッドの構成例を示した正面図である。
【図３】図２のシャワーヘッドのＡ−Ａ断面図である。
【発明を実施するための形態】
【００２９】
図１は、本発明の一実施形態に係るミスト発生装置１の構成例を示した概略図である。このミスト発生装置１は、例えば水栓２から延びるホース３に取り付けられ、給湯器（図示せず）から水栓２を介して供給される温水を用いて、ミストを発生させることができる。
【００３０】
ミスト発生装置１には、液体流路１１、気体流路１２、合流部１３、ミスト供給路１４、液体供給路１５、液体ポンプ１６、気体ポンプ１７、コントロール基板１８及びフットスイッチ１９などが備えられている。これらの各部のうち、例えば液体流路１１、気体流路１２、合流部１３、液体ポンプ１６、気体ポンプ１７及びコントロール基板１８は、筐体１０内に収容されている。
【００３１】
液体流路１１及び気体流路１２は、合流部１３において接続され、それぞれミスト供給路１４に連通している。具体的には、三方継手により構成される合流部１３に、液体流路１１、気体流路１２及びミスト供給路１４の各端部が接続されている。ミスト供給路１４は、一端部側が筐体１０内で合流部１３に接続され、他端部側が筐体１０の外部に延びている。
【００３２】
液体流路１１は、例えば筐体１０に設けられた接続口１０ａに接続されている。この接続口１０ａには、水栓２などから延びるホース３を着脱することができるようになっている。これにより、給湯器から水栓２、ホース３及び接続口１０ａを介して、液体流路１１に温水を供給することができるようになっている。このミスト発生装置１をホース３に取り付ける際には、もともとホース３の端部に取り付けられているシャワーヘッドを取り外し、当該ホース３の端部をミスト発生装置１の接続口１０ａに取り付けるだけでよい。
【００３３】
液体ポンプ１６は、例えばピストンポンプなどの往復ポンプにより構成され、温水が流れる液体流路１１に設けられている。この液体ポンプ１６を駆動するにより、液体流路１１内の温水を合流部１３側へと所定の圧力で送り出すことができる。液体流路１１における液体ポンプ１６よりも下流側には、逆止弁１１ａが設けられており、液体ポンプ１６により合流部１３側へと送り出した温水が逆流しないようになっている。
【００３４】
気体ポンプ１７は、例えばピストンポンプなどの往復ポンプにより構成されている。この気体ポンプ１７を駆動することにより、ミストを発生させるための気体としての空気が、気体流路１２を介して合流部１３側へと所定の圧力で送り出される。気体流路１２における気体ポンプ１７よりも下流側には、逆止弁１２ａが設けられており、気体ポンプ１７により合流部１３側へと送り出した空気が逆流しないようになっている。
【００３５】
液体流路１１を流れる温水と気体流路１２を流れる空気とは、合流部１３において衝突し、この衝突によりミストが発生するようになっている。この例では、液体ポンプ１６の吐出圧力は最大で０．２〜０．３ＭＰａ程度であり、２〜３Ｌ／ｍｉｎ程度の流量で液体流路１１から合流部１３に温水が供給されるようになっている。また、気体ポンプ１７の吐出圧力は最大で０．５ＭＰａ程度であり、８０Ｌ／ｍｉｎ程度の流量で気体流路１２から合流部１３に空気が供給されるようになっている。
【００３６】
このように、本実施形態では、液体ポンプ１６の圧力よりも気体ポンプ１７の圧力の方が高く設定されている。これにより、合流部１３において温水と空気とが高圧で衝突し、その衝突により発生した高圧ミストが、ミスト供給路１４を介して外部に供給されるようになっている。
【００３７】
液体供給路１５は、液体流路１１から分岐している。具体的には、液体供給路１５の一端部側が、接続口１０ａと液体ポンプ１６との間において液体流路１１に接続され、他端部側が筐体１０の外部に延びている。これにより、給湯器から水栓２、ホース３及び接続口１０ａを介して液体流路１１に供給される温水は、合流部１３側だけでなく液体供給路１５側にも導かれ、当該液体供給路１５を介して外部に供給されるようになっている。
【００３８】
ミスト供給路１４及び液体供給路１５におけるミスト発生装置１側とは反対側の各端部は、シャワーヘッド１００に接続されている。これにより、ミスト供給路１４から供給されるミスト、及び、液体供給路１５から供給される温水の両方を、シャワーヘッド１００から噴射することができるようになっている。シャワーヘッド１００から噴射されるミストの流量は、例えば１Ｌ／ｍｉｎ程度であり、シャワーヘッド１００から噴射される温水の流量は、例えば１０Ｌ／ｍｉｎ程度である。
【００３９】
コントロール基板１８は、ミスト発生装置１に備えられた各部の動作を制御するための制御部を構成しており、例えば液体ポンプ１６及び気体ポンプ１７などの駆動を制御する。コントロール基板１８には、施術者が足で操作を行うためのフットスイッチ１９が接続されている。このフットスイッチ１９を操作することにより、液体ポンプ１６及び気体ポンプ１７を駆動させてミストを発生させ、ミスト供給路１４からミストを供給することができるようになっている。
【００４０】
ミストを発生させる際の具体的な手順としては、まず、水栓２を開くことにより、ホース３を介してミスト発生装置１に温水を供給する。このとき、液体ポンプ１６及び気体ポンプ１７は停止状態とされており、最初は、温まる前の水のみがシャワーヘッド１００から噴射される。その後、温水が噴射され始めたことを確認してからフットスイッチ１９を操作することにより、ミスト発生装置１においてミストを発生させ、シャワーヘッド１００から温水とともにミストを噴射させることができる。ミストは、給湯器において設定されている温水の温度と同じ温度で噴射されることとなる。
【００４１】
本実施形態では、ミスト供給路１４においてミストが受ける抵抗により、ミストに脈動を生じさせ、それに伴ってミスト供給路１４を振動させることができるようになっている。すなわち、ミスト供給路１４を細長い管状部材で構成することにより、ミスト供給路１４においてミストが受ける抵抗を高めて、良好に脈動を生じさせることができる。
【００４２】
上記のような脈動は、例えば液体ポンプ１６及び気体ポンプ１７の一方又は両方をピストンポンプなどの往復ポンプで構成することによって、より良好に生じさせることができる。このとき、ミスト供給路１４は、液体ポンプ１６又は気体ポンプ１７の圧力との関係を考慮して、脈動を生じやすい内径及び長さに設定することができ、一例として内径を４ｍｍ程度、長さを１〜１．５ｍ程度に設定することができる。
【００４３】
以上のように、本実施形態では、液体流路１１を流れる温水と気体流路１２を流れる空気とを合流部１３で衝突させることにより発生したミストが、ミスト供給路１４を介して外部（この例ではシャワーヘッド１００）に供給される。これにより、ミスト供給路１４内で十分に霧化した状態でミストを外部に供給することができるため、シャワーヘッドにおいてミストを発生させるような従来の構成と比較して、美容効果を向上することができる。
【００４４】
また、給湯器から供給される温水を用いてミストを発生させることができるため、ヒータなどを設けることなく、温かくて美容効果の高いミストを発生させることができる。
【００４５】
特に、本実施形態では、ミスト供給路１４においてミストが受ける抵抗により、ミストに脈動を生じさせることができる。そして、ミストが脈動するのに伴って、ミスト供給路１４を振動させることができるため、この振動を利用することにより美容効果を向上することができる。
【００４６】
例えば、ミスト供給路１４に接続されたシャワーヘッド１００を被施術者の頭皮などに接触させれば、シャワーヘッド１００からミストを噴射しながら、当該シャワーヘッド１００を介してミスト供給路１４からの振動を頭皮に伝達し、マッサージ効果を得ることができる。このように、ミストによる美容効果に加えて、マッサージ効果による美容効果も得られるため、美容効果が非常に高いミスト発生装置１を提供することができる。
【００４７】
また、本実施形態では、液体ポンプ１６により温水を合流部１３側へ送り出すとともに、気体ポンプ１７により空気を合流部１３側へ送り出し、これらの温水と空気とを合流部１３で衝突させることにより、ミストを良好に発生させることができる。特に、液体ポンプ１６の圧力よりも気体ポンプ１７の圧力の方が高く設定されているため、より細かいミストを発生させることができるとともに、ポンプ１６、１７の圧力差によってミストに脈動が生じやすい。したがって、美容効果をより向上することができる。
【００４８】
さらに、本実施形態では、ミスト供給路１４を介して外部にミストを供給することができるだけでなく、液体流路１１から分岐した液体供給路１５を介して外部に温水を供給することができる。したがって、ミスト及び温水の両方を用いて、美容効果をより向上することができる。
【００４９】
特に、本実施形態のように、液体流路１１に給湯器から温水が供給されるような構成の場合には、ミストを発生させるためだけに温水を液体流路１１に供給しようとすると、給湯器からの流量が少なすぎるため、給湯器において水が温まらないおそれがある。しかし、上述のように、液体流路１１に供給した温水が、合流部１３側だけでなく液体供給路１５側にも導かれるような構成とすることにより、給湯器からの流量が増加するため、給湯器から良好に温水を供給することができる。
【００５０】
図２は、シャワーヘッド１００の構成例を示した正面図である。また、図３は、図２のシャワーヘッド１００のＡ−Ａ断面図である。このシャワーヘッド１００には、施術者が把持するための把持部１０１と、被施術者に向けてミスト及び温水を噴射する噴射部１０２とが備えられている。
【００５１】
把持部１０１は、例えば中空状に形成されており、その内部にミスト用継手１１１及び液体用継手１１２が設けられている。把持部１０１の端部には、ミスト供給路１４及び液体供給路１５を内部に導入するための導入口１１３が形成されている。
【００５２】
ミスト用継手１１１には、導入口１１３から導入されたミスト供給路１４の端部が接続され、ミスト発生装置１側からミストが供給されるようになっている。このとき、ミスト用継手１１１におけるミスト供給路１４の端部との接続口は、ミスト供給路１４からミストが供給されるミスト供給口１１４を構成している。
【００５３】
一方、液体用継手１１２には、導入口１１３から導入された液体供給路１５の端部が接続され、ミスト発生装置１側から温水が供給されるようになっている。このとき、液体用継手１１２における液体供給路１５の端部との接続口は、液体供給路１５から温水が供給される液体供給口１１５を構成している。
【００５４】
噴射部１０２は、例えば円筒状に形成されており、その一端部側が区画板１２１を隔てて把持部１０１に連結されている。噴射部１０２の内部には、ミスト供給路１４から供給されるミストを噴射するためのミスト噴射口１２２が複数形成されたミスト噴射板１２３と、液体供給路１５から供給される温水を噴射するための液体噴射口１２４が複数形成された液体噴射板１２５とが設けられている。
【００５５】
ミスト噴射板１２３は、例えば円形状であり、噴射部１０２の中央部に位置している。一方、液体噴射板１２５は、例えば円環状であり、ミスト噴射板１２３の周囲を取り囲むように位置している。これにより、液体噴射口１２４が、ミスト噴射口１２２を取り囲むように複数形成された構成となっている。この例では、ミスト噴射板１２３と液体噴射板１２５とが、同じ面内に位置しないように異なる高さで配置されており、これにより、ミスト噴射口１２２の方が液体噴射口１２４よりも外部側（把持部１０１側とは反対側）に位置している。
【００５６】
ミスト噴射板１２３と区画板１２１との間には、ミスト供給路１４からミスト供給口１１４を介して供給されるミストをミスト噴射口１２２に導くためのミスト導入空間１２６が形成されている。ミスト用継手１１１は、例えばＬ字状に形成されており、区画板１２１に取り付けられることにより、ミスト供給路１４とミスト導入空間１２６とを連通している。
【００５７】
液体噴射板１２５と区画板１２１との間には、液体供給路１５から液体供給口１１５を介して供給される温水を液体噴射口１２４に導くための円環状の液体導入空間１２７が形成されている。液体用継手１１２は、例えばＬ字状に形成されており、区画板１２１に取り付けられることにより、液体供給路１５と液体導入空間１２７とを連通している。
【００５８】
ミスト噴射板１２３及び液体噴射板１２５は、噴射部１０２における把持部１０１側とは反対側の端面１２８よりも内側（把持部１０１側）に配置されている。したがって、噴射部１０２の端面１２８を被施術者の頭皮などに接触させた状態でシャワーヘッド１００を使用した場合には、端面１２８とミスト噴射板１２３及び液体噴射板１２５との空間を介して、ミスト及び温水を噴射することができる。
【００５９】
ただし、ミスト噴射板１２３及び液体噴射板１２５は、噴射部１０２の端面１２８とほぼ同じ位置に設けられた構成であってもよい。また、ミスト噴射板１２３及び液体噴射板１２５は、異なる高さで配置された構成に限らず、同じ面内に位置していてもよい。さらに、ミスト噴射板１２３及び液体噴射板１２５は、別個の部材により形成された構成に限らず、同一部材により一体的に形成されていてもよい。
【００６０】
本実施形態では、シャワーヘッド１００からミスト及び温水の両方を噴射することができるため、美容効果をより向上することができる。また、気体流路１２から合流部１３に空気を流さなければ、液体流路１１を流れる温水が、そのままミスト供給路１４を通り、シャワーヘッド１００のミスト噴射口１２２から液体として噴射される。この場合には、シャワーヘッド１００の液体噴射口１２４及びミスト噴射口１２２の両方から液体（温水）が噴射されることとなり、通常のシャワーとして使用することができる。
【００６１】
すなわち、本実施形態では、ミスト噴射口１２２から噴射されるミストと、液体噴射口１２４から噴射される温水とにより、美容効果の高い使用態様でシャワーヘッド１００を使用することができるだけでなく、ミスト噴射口１２２及び液体噴射口１２４の両方から温水を噴射して、通常のシャワーの態様でシャワーヘッド１００を使用することもできる。このように、一台二役で使い勝手のよいミスト発生装置１を提供することができる。
【００６２】
また、本実施形態では、ミスト噴射口１２２から噴射されるミストが、液体噴射口１２４から噴射される温水により形成される円筒状のカーテンで覆われることとなる。これにより、ミストによる美容効果を高めることができるとともに、ミスト噴射口１２２において生じる音に対する消音効果を発揮することができる。
【００６３】
上記実施形態では、施術者が足でフットスイッチ１９を操作することにより、液体ポンプ１６及び気体ポンプ１７を駆動させるような構成について説明した。しかし、このような構成に限らず、施術者が手などの足以外の部位で操作を行うことにより、液体ポンプ１６及び気体ポンプ１７を駆動させるような構成であってもよい。
【００６４】
また、コントロール基板１８により構成される制御部がプログラムを実行することにより、予め定められた態様で液体ポンプ１６及び気体ポンプ１７が駆動されるような構成であってもよい。さらに、本実施形態に係るミスト発生装置１は、施術者が操作を行うことができるだけでなく、被施術者自身が操作を行うことも可能である。
【００６５】
液体流路１１を流れる液体は、温水に限らず、常温の水などであってもよいし、水以外の液体であってもよい。また、気体流路１２を流れる気体は、空気に限らず、他の気体であってもよい。この場合、液体流路１１を流れる液体、及び、気体流路１２を流れる気体の少なくとも一方が、美容効果の高い成分を含むことが好ましい。
【００６６】
以上の実施形態では、ミスト供給路１４から供給されるミスト、及び、液体供給路１５から供給される液体を噴射することができるシャワーヘッド１００について説明したが、ミストのみを噴射するミストヘッドにも本発明を適用することができる。また、本発明をシャワーヘッド１００に適用する場合には、当該シャワーヘッド１００を備えたミスト発生装置１だけでなく、シャワーヘッド１００のみを単体で提供することも可能である。
【符号の説明】
【００６７】
１    ミスト発生装置
２    水栓
３    ホース
１０    筐体
１０ａ  接続口
１１    液体流路
１１ａ  逆止弁
１２    気体流路
１２ａ  逆止弁
１３    合流部
１４    ミスト供給路
１５    液体供給路
１６    液体ポンプ
１７    気体ポンプ
１８    コントロール基板
１９    フットスイッチ
１００    シャワーヘッド
１１４    ミスト供給口
１１５    液体供給口
１２２    ミスト噴射口
１２４    液体噴射口
【図１】
2014210002.tif 000003
【図２】
2014210002.tif 000004
【図３】
2014210002.tif 000005